【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
ａ）臭素化アニオン重合スチレン系ポリマーおよび（ｂ）このフェニル環に直接に結合した全部で少なくとも６個の臭素原子およびこのフェニル基の間に配置されたアルキレン基中の１〜６個の範囲の炭素原子を有する少なくとも１つのポリ臭素化アルファ−オメガジフェニルアルカンを含んでなる難燃剤組成物であって、前記アルキレン基が直鎖のアルキレン基である難燃剤組成物。
【請求項２】
前記ポリ臭素化アルファ−オメガジフェニルアルカンがこのフェニル環に直接に結合した全部で少なくとも８個の臭素原子を有し、そして
前記アルキレン基が１〜４個の範囲の炭素原子を有する請求項１に記載の組成物。
【請求項３】
前記ポリ臭素化アルファ−オメガジフェニルアルカンがデカブロモジフェニルエタンである請求項１に記載の組成物。
【請求項４】
前記臭素化アニオン重合スチレン系ポリマーが少なくとも６０重量％の臭素を含有する請求項１〜３のいずれかに記載の組成物。
【請求項５】
前記臭素化アニオン重合スチレン系ポリマーが多くとも７１重量％の臭素を含有する請求項４に記載の組成物。
【請求項６】
分子中に重合性オレフィン系二重結合を有する１つ以上の重合されたモノマーを含んでなる基質ポリマーと、難燃剤量のａ）臭素化アニオン重合スチレン系ポリマーおよび（ｂ）このフェニル環に直接に結合した全部で少なくとも６個の臭素原子およびこのフェニル基の間に配置されたアルキレン基中の１〜６個の範囲の炭素原子を有し、前記アルキレン基が直鎖のアルキレン基である少なくとも１つのポリ臭素化アルファ−オメガジフェニルアルカンがこのポリマーとブレンドされている難燃性組成物。
【請求項７】
基質ポリマーが１つ以上のビニル芳香族ホモポリマーあるいはコポリマーである請求項６に記載の組成物。
【請求項８】
基質ポリマーが１つ以上のアクリルオレフィン炭化水素ポリマーあるいはコポリマーである請求項６に記載の組成物。
【請求項９】
成分（ｂ）がフェニル環に直接に結合した全部で少なくとも８個の臭素原子を有するポリ臭素化アルファ−オメガジフェニルアルカンであり、そして（１）このような少なくとも１つのジフェニルアルカンが単一化合物である場合には、このアルファ−オメガジフェニルアルカンのアルキレン基が１〜４個の範囲の炭素原子を有するか、あるいは（２）このような少なくとも１つのジフェニルアルカンが２つ以上のジフェニルアルカンである場合には、それぞれのアルファ−オメガジフェニルアルカンのアルキレン基が、独立に、１〜４個の範囲の炭素原子を有する請求項６〜８のいずれかに記載の組成物。
【請求項１０】
成分（ｂ）がデカブロモジフェニルエタンである請求項９に記載の組成物。
【請求項１１】
請求項６〜８のいずれかに記載の組成物から形成される鋳型物品あるいは型。
【請求項１２】
ａ）臭素化前のこのアニオン重合スチレン系ポリマーが２０００〜５０，０００の範囲のＧＰＣ重量平均分子量（Ｍw）と１〜約１０の範囲のＧＰＣ多分散性を有する臭素化アニオン重合スチレン系ポリマーと、（ｂ）フェニル環に直接に結合した全部で少なくとも６個の臭素原子およびフェニル基の間に配置されたアルカン基中の１〜６個の範囲の炭素原子を有する少なくとも１つのポリ臭素化ジフェニルアルカンを含んでなる難燃剤組成物。
【請求項１３】
前記重量平均分子量（Ｍw）が３０００〜１０，０００の範囲にあり、そして前記多分散性が１〜４の範囲にある請求項１２に記載の組成物。
【請求項１４】
前記重量平均分子量（Ｍw）が３５００〜４５００の範囲にある請求項１３に記載の組成物。
【請求項１５】
前記ポリ臭素化ジフェニルアルカンがデカブロモジフェニルエタンを含んでなる請求項１２〜１４のいずれかに記載の組成物。
【手続補正２】
【補正対象書類名】明細書
【補正対象項目名】００６２
【補正方法】変更
【補正の内容】
【００６２】
各々の図において、曲線は、それぞれの図の表題において引用された表に示された試験データを表す。各々の図の中に組み込まれた直線は、それぞれの図に対して与えられた試験データのデータ点に適用された線に対する最少二乗法の一致に基づくグラフィックソフトウエアプロブラムにより計算された直線の傾向線を表す。
本発明の好適な実施の態様は次のとおりである。
１．  ａ）臭素化アニオン重合スチレン系ポリマーおよび（ｂ）このフェニル環に直接に結合した全部で少なくとも６個の臭素原子およびこのフェニル基の間に配置されたアルキレン基中の１〜６個の範囲の炭素原子を有する少なくとも１つのポリ臭素化アルファ−オメガジフェニルアルカンを含んでなる難燃剤組成物であって、前記アルキレン基が直鎖のアルキレン基である難燃剤組成物。
２．  前記ポリ臭素化アルファ−オメガジフェニルアルカンがこのフェニル環に直接に結合した全部で少なくとも８個の臭素原子を有し、そして
前記アルキレン基が１〜４個の範囲の炭素原子を有する上記１に記載の組成物。
３．  前記ポリ臭素化アルファ−オメガジフェニルアルカンがこのフェニル環に直接に結合した全部で少なくとも９個の臭素原子を有し、そして前記アルキレン基が１あるいは２個の範囲の炭素原子を有する上記１に記載の組成物。
４．  前記ポリ臭素化アルファ−オメガジフェニルアルカンがデカブロモジフェニルエタンである上記１に記載の組成物。
５．  前記臭素化アニオン重合スチレン系ポリマーが少なくとも約５０重量％の臭素を含有する上記１〜４のいずれかに記載の組成物。
６．  前記臭素化アニオン重合スチレン系ポリマーが少なくとも約６０重量％の臭素を含有する上記１〜４のいずれかに記載の組成物。
７．  前記臭素化アニオン重合スチレン系ポリマーが少なくとも約６４重量％の臭素を含有する上記１〜４のいずれかに記載の組成物。
８．  前記臭素化アニオン重合スチレン系ポリマーが少なくとも６７〜６９重量％の範囲の臭素を含有する上記１〜４のいずれかに記載の組成物。
９．  前記臭素化アニオン重合スチレン系ポリマーが多くとも約７１重量％の臭素を含有する上記５に記載の組成物。
１０．  前記臭素化アニオン重合スチレン系ポリマーが多くとも約７１重量％の臭素を含有する上記６に記載の組成物。
１１．  前記臭素化アニオン重合スチレン系ポリマーが多くとも約７１重量％の臭素を含有する上記７に記載の組成物。
１２．  少なくとも１つの酸化アンチモンまたはアルカル金属アンチモン酸塩を更に含んでなる上記１〜４のいずれかに記載の組成物。
１３．  前記臭素化アニオン重合スチレン系ポリマーが少なくとも約６０重量％の臭素を含有し、そして前記組成物が少なくとも１つの酸化アンチモンまたはアルカル金属アンチモン酸塩を更に含んでなる上記１〜４のいずれかに記載の組成物。
１４．  前記臭素化アニオン重合スチレン系ポリマーが少なくとも６７〜６９重量％の範囲の臭素を含有し、そして前記組成物が少なくとも１つの酸化アンチモンまたはアルカル金属アンチモン酸塩を更に含んでなる上記１〜４のいずれかに記載の組成物。
１５．  分子中に重合性オレフィン系二重結合を有する１つ以上の重合されたモノマーを含んでなるポリマーと、難燃剤量のａ）臭素化アニオン重合スチレン系ポリマーおよび（ｂ）このフェニル環に直接に結合した全部で少なくとも６個の臭素原子およびこのフェニル基の間に配置されたアルキレン基中の１〜６個の範囲の炭素原子を有し、前記アルキレン基が直鎖のアルキレン基である少なくとも１つのポリ臭素化アルファ−オメガジフェニルアルカンがこのポリマーとブレンドされている難燃性組成物。
１６．  ポリマーが１つ以上のビニル芳香族ホモポリマーあるいはコポリマーである上記１５に記載の組成物。
１７．  ポリマーが１つ以上の衝撃変成ビニル芳香族ポリマーである上記１５に記載の組成物。
１８．  ポリマーが耐衝撃性ポリスチレンである上記１５に記載の組成物。
１９．  ポリマーが１つ以上のアクリルオレフィン炭化水素ポリマーあるいはコポリマーである上記１５に記載の組成物。
２０．  ポリマーが（ｉ）ポリエチレン、（ｉｉ）ポリプロピレン、（ｉｉｉ）アイソタクチックポリプロピレン、（ｉｖ）シンジオタクチックポリプロピレン、（ｖ）アイソタクチックポリプロピレンとシンジオタクチックポリプロピレンの混合物、または（ｖｉ）エチレンまたはプロピレンと、約１０個までの炭素原子の少なくとも１つの高級オレフィン、そして場合によってはジエンモノマー、との少なくとも１つのコポリマー、または（ｉ）から（ｖｉ）の任意の２つ以上の混合物である上記１５に記載の組成物。
２１．  ポリマーが少なくとも１つのビニル芳香族モノマーと、官能基を含有する少なくとも１つの非ビニル芳香族モノマーの１つ以上のコポリマーである上記１５に記載の組成物。
２２．  前記官能基を含有する非ビニル芳香族モノマーが（ｉ）アクリロニトリル、（ｉｉ）少なくとも１つのアクリレートモノマー、または（ｉｉｉ）少なくとも１つのメタクリレートモノマー、または（ｉｖ）（ｉ）から（ｉｉｉ）の任意の２つ以上の混合物である上記２１に記載の組成物。
２３．  ポリマーが少なくとも１つのジエンモノマーも含む上記２２に記載の組成物。
２４．  成分（ｂ）がフェニル環に直接に結合した全部で少なくとも８個の臭素原子を有するポリ臭素化アルファ−オメガジフェニルアルカンであり、そして（１）このような少なくとも１つのジフェニルアルカンが単一化合物である場合には、このアルファ−オメガジフェニルアルカンのアルキレン基が１〜４個の範囲の炭素原子を有するか、あるいは（２）このような少なくとも１つのジフェニルアルカンが２つ以上のジフェニルアルカンである場合には、それぞれのアルファ−オメガジフェニルアルカンのアルキレン基が、独立に、１〜４個の範囲の炭素原子を有する上記１５〜２３のいずれかに記載の組成物。
２５．  成分（ｂ）がこのフェニル環に直接に結合した全部で少なくとも９個の臭素原子を有する少くとも１個のポリ臭素化アルファ−オメガジフェニルアルカンであり、そして（１）このような少なくとも１つのジフェニルアルカンが単一化合物である場合には、アルファ−オメガジフェニルアルカンのアルキレン基が１〜２個の範囲の炭素原子を有するか、あるいは（２）このような少なくとも１つのジフェニルアルカンが２つ以上のジフェニルアルカンである場合には、それぞれのアルファ−オメガジフェニルアルカンのアルキレン基が、独立に、１〜２個の範囲の炭素原子を有する上記１５〜２３のいずれかに記載の組成物。
２６．  成分（ｂ）がデカブロモジフェニルエタンである上記１５〜２３のいずれかに記載の組成物。
２７．  成分（ａ）が少なくとも約５０重量％の臭素を含有する臭素化アニオン重合スチレン系ポリマーであり、そして前記組成物が少なくとも１つの酸化アンチモンまたはアルカル金属アンチモン酸塩を更に含んでなる上記１５〜２３のいずれかに記載の組成物。
２８．  成分（ａ）が少なくとも約６０重量％の臭素を含有する臭素化アニオン重合スチレン系ポリマーであり、そして前記組成物が少なくとも１つの酸化アンチモンまたはアルカル金属アンチモン酸塩を更に含んでなる上記１５〜２３のいずれかに記載の組成物。
２９．  前記臭素化アニオン重合スチレン系ポリマーが６７〜６９重量％の範囲の臭素を含有し、そして前記組成物が少なくとも１つの酸化アンチモンまたはアルカル金属アンチモン酸塩を更に含んでなる上記１５〜２３のいずれかに記載の組成物。
３０．  上記１５〜２３のいずれかに記載の組成物から形成される鋳型物品あるいは型。
３１．  １つ以上のビニル芳香族ホモポリマーあるいはコポリマーと、難燃剤量のａ）臭素化アニオン重合スチレン系ポリマーおよび（ｂ）フェニル環に直接に結合した全部で少なくとも６個の臭素原子およびフェニル基の間に配置されたアルキレン基中の１〜６個の範囲の炭素原子を有し、前記アルキレン基が直鎖のアルキレン基である少なくとも１つのポリ臭素化アルファ−オメガジフェニルアルカンから形成される発泡性の、あるいは発泡された物品あるいは型。
３２．  前記１つ以上のビニル芳香族ホモポリマーあるいはコポリマーがポリスチレンである上記３１に記載の物品あるいは型。
３３．  難燃剤量のａ）臭素化アニオン重合スチレン系ポリマーおよび（ｂ）フェニル環に直接に結合した全部で少なくとも６個の臭素原子およびフェニル基の間に配置されたアルキレン基中の１〜６個の範囲の炭素原子を有し、前記アルキレン基が直鎖のアルキレン基である少なくとも１つのポリ臭素化アルファ−オメガジフェニルアルカンがブレンドされている
シンジオタクチックポリプロピレンまたはシンジオタクチックポリプロピレンとアイソタクチックポリプロピレンのブレンドを含んでなる難燃性組成物。
３４．  成分（ｂ）がデカブロモジフェニルエタンである上記３３に記載の組成物。
３５．  ａ）臭素化前のこのアニオン重合スチレン系ポリマーが２０００〜５０，０００の範囲のＧＰＣ重量平均分子量（Ｍw）と１〜約１０の範囲のＧＰＣ多分散性を有する臭素化アニオン重合スチレン系ポリマーと、（ｂ）フェニル環に直接に結合した全部で少なくとも６個の臭素原子およびフェニル基の間に配置されたアルカン基中の１〜６個の範囲の炭素原子を有する少なくとも１つのポリ臭素化ジフェニルアルカンを含んでなる難燃剤組成物。
３６．  前記重量平均分子量（Ｍw）が３０００〜１０，０００の範囲にあり、そして前記多分散性が１〜約４の範囲にある上記３５に記載の組成物。
３７．  前記重量平均分子量（Ｍw）が３５００〜４５００の範囲にある上記３６に記載の組成物。